(57)【要約】【課題】  少ない次数のアナログフィルタにより、不要な高調波成分を抑制して送信周波数の帯域を制限し、受信信号のアイ開口率を確保することが困難であった。【解決手段】  低次高調波除去器２０は、ベースバンド信号とベースバンド信号の周期より短い周期を有する基準クロック信号とが供給され、ベースバンド信号の符号の変化に応じて基準クロック信号に同期して正弦波信号を近似した電圧を出力する。アナログフィルタ２２は、低次高調波除去器２０の出力信号より、高調波成分を除去する。【選択図】      図１
2005341240.tif 000002
【特許請求の範囲】
【請求項１】
ベースバンド信号と前記ベースバンド信号の周期より短い周期を有する基準クロック信号とが供給され、前記ベースバンド信号の符号の変化に応じて前記基準クロック信号に同期して最短周期のベースバンド信号に対して正弦波信号を近似した電圧を出力する低次高調波除去器と、
前記低次高調波除去器の出力信号より、高調波成分を除去するアナログフィルタと
を具備することを特徴とする無線装置。
【請求項２】
前記低次高調波除去器は、
基準電圧を発生する基準電圧発生回路と、
前記基準電圧を複数の電圧に分圧する分圧回路と、
前記分圧回路に接続され、前記分圧された複数の電圧を出力するスイッチ回路と、
前記ベースバンド信号と前記基準クロック信号とが供給され、前記ベースバンド信号の符号の変化に応じて前記基準クロック信号に同期して前記スイッチ回路を制御する制御信号を生成するスイッチ制御回路と
を具備することを特徴とする請求項１記載の無線装置。
【請求項３】
前記アナログフィルタの出力信号により搬送波信号を振幅変調するＡＳＫ変調器をさらに具備することを特徴とする請求項１または２記載の無線装置。
【請求項４】
前記低次高調波除去器は、４ビット以下の回路で構成されることを特徴とする請求項２記載の無線装置。
【請求項５】
基準クロック信号は、前記ＡＳＫ変調器に供給される搬送波を生成するための基準クロック信号と、前記ベースバンド信号を処理する回路で用いる基準クロック信号と共用させることを特徴とする請求項３記載の無線装置。
【発明の詳細な説明】
【技術分野】
【０００１】
本発明は、ベースバンド信号の波形を振幅変調するＡＳＫ（Amplitude Shift Keying）変調器を有する無線装置に関する。
【背景技術】
【０００２】
日本国内における狭域通信システム（以下、ＤＳＲＣシステム；Dedicated Short Range Communication System）の無線装置にはＡＳＫ変復調方式が採用されている。このＤＳＲＣの規格はＡＲＩＢ−Ｔ７５等に記載されるように、特に変調信号の帯域が厳しく制限されている。例えば占有帯域幅は４．４ＭＨｚであり、５．８ＧＨｚのキャリア周波数に対して４．４ＭＨｚ帯域内に９９％以上の信号電力を有するよう発射する電波の帯域を制限しなければならない。
【０００３】
ＤＳＲＣは、例えばＥＴＣ（Electronic Toll Collection ）システムに適用されている。ＥＴＣシステム用ＤＳＲＣの無線装置は、車両と路側の双方に設置されており、車両に搭載される無線装置と路側に設置される無線装置との間で通信が行われる。車両から路側に向かって電波を飛ばす場合はアップリンクと呼ばれ、その逆はダウンリンクと呼ばれる。アップリンクとダウンリンクの周波数は、以下の通りである。単位をＧＨｚとすると
アップリンク：５．８１５、５．８２０、５．８２５、５．８３０、５．８３５、５．８４０、５．８４５
に対して
ダウンリンク：５．７７５、５．７８０、５．７８５、５．７９０、５．７９５、５．８００、５．８０５
である。アップリンクとダウンリンクとの周波数差、すなわち、送受信間の周波数差は４０ＭＨｚであり、チャネル間隔は５ＭＨｚである。ＤＳＲＣで定められる隣接チャネル漏洩電力、次隣接チャネル漏洩電力はそれぞれ−３０ｄＢｃ、−４０ｄＢｃ以下となっている。
【０００４】
無線装置が電波を受信する時、先ず、アンテナにより５．８ＧＨｚの電波を受けると、この電波は、ダウンコンバータにより４０ＭＨｚの信号に変換される。このダウンコンバータの出力信号は中間周波（ＩＦ）フィルタに供給され、５ＭＨｚ離れた隣接チャネルの信号が除去される。ＤＳＲＣの規格において、信号速度は１０２４ｋｂｐｓ、変調速度は２０４８ｋｂａｕｄと定められている。このため、５ＭＨｚ離れた隣接チャネルの信号を除去するには、急峻な周波数特性を有するＩＦフィルタが必要となる。このＩＦフィルタとしては、一般に、ＳＡＷ（Surface Acoustic Wave）フィルタが用いられる。ＩＦフィルタの出力信号はＡＳＫ復調器に供給され復調される。この復調信号は、データスライサによりベースバンド信号に変換されベースバンド処理ＬＳＩに供給される。
【０００５】
一方、無線装置が電波を送信する時、無線装置はベースバンド処理ＬＳＩからベースバンド信号を受け、帯域制限フィルタにより不要高調波成分を除去した後、ＡＳＫ変調器によって例えば５．８４ＧＨｚの電波に変換される。その後、パワーアンプによって所望の電波強度まで増幅され、送受切替えスイッチ、ＲＦフィルタ、アンテナを通って５．８４ＧＨｚの電波が空中に放射される。その時の占有周波数帯域幅は４．４ＭＨｚを満たしていなければならないため、急峻な特性を有する帯域制限フィルタを必要とする。
【０００６】
無線装置の送信系において、帯域制限フィルタがベースバンド処理ＬＳＩから受けるベースバンド信号が例えば矩形波であることを想定すると、スプリットフェーズ符号が０１０１０１…と交互に発生する場合、ベースバンド信号の周波数成分は５１２ｋＨｚの連続矩形波と同じである。また、スプリットフェーズ符号が００００…もしくは１１１１…と連続する場合、ベースバンド信号の周波数成分は１．０２４ＭＨｚの連続矩形波と同様となる。
【０００７】
矩形波の高調波成分は、基本波成分をcos xとすると、次式（１）のようになる。
【０００８】
1/3・cos 3x+1/5・cos 5x+1/7・cos 7x+ …                      …（１）
しかし、現実問題として高次高調波を２１次まで考慮すると、５１２ｋＨｚ連続矩形波の基本波及び３次高調波の電力値と、５次高調波…２１次高調波までの電力積分値との比は、約−１０．５ｄＢｃ、１．０２４ＭＨｚ連続矩形波の基本波の電力値と、３次、５次高調波、…２１次高調波までの電力積分値との比は約−６．８ｄＢｃとなる。
【０００９】
ＤＳＲＣの規格では、隣接チャネル漏洩電力（５ＭＨｚ離調）と次隣接チャネル漏洩電力（１０ＭＨｚ離調）をそれぞれ−３０ｄＢｃ以下、−４０ｄＢｃ以下と規定している。例えば１．０２４ＭＨｚ連続矩形波の３次高調波成分を考えると、−１０ｄＢｃもの成分が存在するが、中心周波数の片側で考えると−１３ｄＢｃとなる。５１２ｋＨｚと１．０２４ＭＨｚ矩形波の存在確率を５０％とすると−１６ｄＢｃとなり、隣接チャネル漏洩電力を−３０ｄＢｃ以下に抑えるためには、隣接波を１４ｄＢ減衰させる必要がある。さらに、５次以上の高調波やパワーアンプ、ＡＳＫ変調器の歪成分も考慮すると、ほぼ２０ｄＢの減衰が必要となる。
【００１０】
一方、ＤＳＲＣにおいて、占有周波数帯域幅は４．４ＭＨｚ（中心周波数±２．２ＭＨｚ）と規定されている。このため、５１２ｋＨｚの連続矩形波の５次以上の高調波の電力積分値、及び１．０２４ＭＨｚの連続矩形波の３次以上の高調波の電力積分値を、全体の１％以下（片側０．５％以下）、すなわち、−２０ｄＢｃ以下に抑えなければならない。
【００１１】
占有帯域幅の規定から考えても、１．０２４ＭＨｚの連続矩形波の３次高調波である３ＭＨｚ成分より高い周波数の信号の電力積分値を２０ｄＢ以上除去することが必要である。そのためには帯域制限フィルタにより３ＭＨｚより高い周波数の信号の電力積分値を少なくとも１３．２ｄＢ以上、好ましくはマージンを持って２０ｄＢ以上除去しなければならない。
【００１２】
一般に、帯域制限フィルタとしては、アナログフィルタが用いられる。帯域制限フィルタは１０２４ｋｂｐｓの信号を通過する必要があるため、約１．０２４ＭＨｚまでは通過させなければならない。カットオフ周波数を１．５ＭＨｚ程度と考えると、３ＭＨｚで２０ｄＢ以上除去するには、４次以上のアナログフィルタが必要となる。
【００１３】
しかも、ＤＳＲＣにおいて、受信時のアイ開口率を８０％以上取る必要がある。しかし、５１２ｋＨｚと１．０２４ＭＨｚのベースバンド信号の送信信号のデューティ比が劣化している場合、受信時にこれらの信号のアイ開口率を８０％以上確保することが困難となる。このため、特に、送信側の帯域制限フィルタにおいて、５１２ｋＨｚと１．０２４ＭＨｚのベースバンド信号の群遅延差を極力低く抑える必要がある。帯域制限フィルタは、次数（段数）が多くなればなるほど群遅延差が大きくなる。このため、帯域制限フィルタの次数を減らすことが重要である。しかし、帯域制限フィルタの次数を減らすと隣接チャネル漏洩電力、及び占有帯域幅の規格を満たさないという問題が発生する。
【００１４】
そこで、高調波成分による帯域外の不要輻射を低減するため、アナログフィルタを用いてベースバンド信号の立ち上がり、及び立下りを滑らかにする方法が開発されている（例えば特許文献１参照）。しかし、この場合も、高次のアナログフィルタを必要とするため、群遅延差を低減することが困難であった。
【００１５】
このように、従来の無線装置は、特に送信部において、占有帯域幅の規格を満たし、且つ、隣接チャネル漏洩電力を抑えるために帯域制限フィルタの次数を高くしなければならない。しかし、アイ開口率を確保するために異なる周波数の信号の群遅延も抑える必要があり、帯域制限フィルタを含む送信部の設計製造が非常に難しく、コスト高の原因となっていた。
【特許文献１】特開２０００−４９８７４号公報
【発明の開示】
【発明が解決しようとする課題】
【００１６】
本発明は、少ない次数のアナログフィルタにより、不要な高調波成分を抑制して送信周波数の帯域を制限でき、しかも、受信信号のアイ開口率を確保することが可能な無線装置を提供しようとするものである。
【課題を解決するための手段】
【００１７】
本発明の無線装置の態様は、ベースバンド信号と前記ベースバンド信号の周期より短い周期を有する基準クロック信号とが供給され、前記ベースバンド信号の符号の変化に応じて前記基準クロック信号に同期して最短周期のベースバンド信号に対して正弦波信号を近似した電圧を出力する低次高調波除去器と、前記低次高調波除去器の出力信号より、高調波成分を除去するアナログフィルタとを具備することを特徴とする。
【発明の効果】
【００１８】
本発明によれば、少ない次数のアナログフィルタにより、不要な高調波成分を抑制して送信周波数の帯域を制限でき、しかも、受信信号のアイ開口率を確保することが可能な無線装置を提供できる。
【発明を実施するための最良の形態】
【００１９】
以下、本発明の実施の形態について図面を参照して説明する。
【００２０】
図３は、本発明の実施形態に適用されるＤＳＲＣの無線装置の一例を示している。先ず、図３を参照して無線装置の構成について概略的に説明する。
【００２１】
無線装置が電波を受信する時、アンテナ１により受信した信号は、ＲＦフィルタ２に供給される。このＲＦフィルタ２により、受信信号から例えば５．８ＧＨｚの信号が抽出される。ＲＦフィルタ２の出力信号は、送受切替えスイッチ（ＳＷ）３、及び低雑音増幅器（ＬＮＡ：Low Noise Amplifier）４を介してダウンコンバータ５に供給される。低雑音増幅器４からの信号はダウンコンバータ５において、ローカル発振器１３から供給される局部発振信号と混合され、４０ＭＨｚの中間周波（ＩＦ）信号に変換される。前述したように、アップリンクとダウンリンクとの周波数差は４０ＭＨｚに設定されている。このため、ローカル発振器１３の発振周波数は、通常、送信側の信号に合わせている。このような構成とすることにより、ダウンコンバータ５とＡＳＫ変調器１２に用いるローカル発振器を共用できる。しかも、送受信間で周波数切替えを必要としないため、システム構成を簡単化でき、コストを削減することが可能となる。
【００２２】
ローカル発振器１３は、通常例えばＶＣＯ（Voltage Control Oscillator）により構成され、ＰＬＬ（Phase Locked Loop）回路１５によって発振周波数が制御されている。ＰＬＬ回路１５は基準クロック信号発振器１６から供給される基準信号とローカル発振器１３の発振信号とを比較し、ローカル発振器１３の発振周波数を制御している。基準クロック信号発振器１６は、例えば１５ＭＨｚの信号を発振している。その理由は、第１に、送受信信号のチャネル間隔が５ＭＨｚであるため、５ＭＨｚの倍数に設定することにより、ＰＬＬ回路１５の設定が容易となる。第２に、ＩＦ周波数が前述したように、４０ＭＨｚであるため、基準クロック信号の高調波成分が４０ＭＨｚの帯域内に入らないようにしている。すなわち、１５ＭＨｚの２次高調波は３０ＭＨｚであり、３次高調波は４５ＭＨｚである。このため、基準クロック信号の高調波成分が４０ＭＨｚのＩＦ周波数帯域内に入ることがない。
【００２３】
ダウンコンバータ５から出力される４０ＭＨｚのＩＦ信号は、例えばＳＡＷフィルタにより構成されたＩＦフィルタ６に供給され、このＩＦフィルタ６により隣接チャネル以上の信号成分が除去される。ＩＦフィルタ６の出力信号は、ＩＦアンプ７により増幅される。ＩＦアンプ７の出力信号はＡＳＫ復調器８により復調され、さらに、データスライサ９によりベースバンドのデジタル信号に整形されて、ベースバンド処理ＬＳＩ１０に入力される。ベースバンド処理ＬＳＩ１０は、供給されたデジタル信号を処理する。
【００２４】
一方、無線装置が電波を送信する時、ベースバンド処理ＬＳＩ１０から供給されるベースバンド信号は、帯域制限フィルタ（ＢＥＦ：Band Elimination Filter）１１に供給される。この帯域制限フィルタ１１により不要な高調波成分が除去されたベースバンド信号は、ＡＳＫ変調器１２に供給される。ＡＳＫ変調器１２には、ローカル発振器１３からキャリア信号が供給されており、ベースバンド信号は、ＡＳＫ変調器１２により例えば５．８４ＧＨｚの信号に変換される。ＡＳＫ変調器１２の出力信号は、パワーアンプ１４によって所望の電波強度に増幅され、このパワーアンプ１４の出力信号は、送受切替え器（ＳＷ）３、ＲＦフィルタ２、アンテナ１を介して、５．８４ＧＨｚの電波として空中に放射される。この電波の占有周波数帯域幅は４．４ＭＨｚを満たしていなければならない。このため、帯域制限フィルタ１１は急峻な特性が要求される。
【００２５】
図１は、本発明の実施形態に係る帯域制限フィルタ１１の一例を示している。帯域制限フィルタ１１は、低次高調波除去器２０、基準クロック信号発生器２１、及びアナログフィルタ２２により構成されている。ベースバンド処理ＬＳＩ１０から供給されるベースバンド信号は、低次高調波除去器２０に入力される。この低次高調波除去器２０は、基準クロック信号発生器２１から供給される基準クロック信号に同期して、ベースバンド信号の符号の変化に応じて複数の電圧を出力し、これら複数の電圧によりベースバンド信号を正弦波信号に近似することにより、低次高調波を除去する。基準クロック信号発生器２１は、後述するように、正弦波の１周期を割り切れるように、例えば１６．３８４ＭＨｚの基準クロック信号を発生する。低次高調波除去器２０から出力される信号は、アナログフィルタ２２に供給され、このアナログフィルタ２２により高調波成分が除去されて出力される。低次高調波除去器２０から出力される信号において、高調波成分は、基本波成分から離れた１６次以上の信号となっている。このため、アナログフィルタ２２は、後述するように、例えば１６以上の高調波信号を除去できればよい。このため、アナログフィルタ２２を低次のフィルタにより構成することができる。
【００２６】
図２は、低次高調波除去器２０の一例を示している。低次高調波除去器２０は、基準電圧発生回路２０ａ、分圧回路２０ｂ、スイッチ回路２０ｃ、スイッチ制御回路２０ｄにより構成されている。基準電圧発生回路２０ａは、例えば２Ｖ（ＶＨ）の電圧を発生する。この電圧は、分圧回路２０ｂに供給される。分圧回路２０ｂは、直列接続された複数の抵抗Ｒ１〜Ｒ６により構成され、これら抵抗Ｒ１〜Ｒ６により０Ｖ〜２Ｖの電圧を、例えば７段階の電圧、０Ｖ、０．２５Ｖ、０．６Ｖ、１．０Ｖ、１．４Ｖ、１．７５Ｖ、２Ｖに分圧する。この電圧値は一例であり、正弦波信号を近似する電圧値であればよい。
【００２７】
各抵抗Ｒ１〜Ｒ６の一端部及び他端部には、スイッチ回路２０ｃを構成する複数のスイッチＳ１〜Ｓ７の一端部が接続されている。これらスイッチＳ１〜Ｓ７の他端部は共通接続されている。これらスイッチＳ１〜Ｓ７はスイッチ制御回路２０ｄにより順次制御される。このスイッチ制御部２０ｄは、基準クロック信号発振回路２１から供給される基準クロック信号と、ベースバンド信号とに応じて、スイッチＳ１〜Ｓ７を制御する制御信号を生成する。
【００２８】
ここで、ベースバンド信号と近似される正弦波との関係についてさらに説明する。
【００２９】
図４は、電圧レベルによる正弦波の近似を示し、図５は、図２の各部の信号を示している。図４に示すように、正弦波の１周期を１６分割すると、７段階の電圧により、ベースバンド信号の１周期を正弦波に近似することができる。図５に示すように、１．０２４ＭＨｚのベースバンド信号の周期０．９７７μｓを、前記１６．３８４ＭＨｚの基準クロック信号の周期０．０６１μｓで割ると、ベースバンド信号の周期を１６等分することができる。
【００３０】
図２に示す構成において、図５に示すように、ベースバンド信号がローレベルからハイレベルに変化すると、スイッチ制御回路２０ｄは基準クロック信号発生回路２１から供給される基準クロック信号に同期して、スイッチ回路２０ｃのスイッチＳ１からスイッチＳ７を順次オンとする。このため、スイッチ回路２０ｃから０Ｖ、０．２５Ｖ、０．６Ｖ、１．０Ｖ、１．４Ｖ、１．７５Ｖ、２Ｖの電圧が順次出力される。
【００３１】
また、ベースバンド信号がハイレベルからローレベルに変化した場合、スイッチ制御回路２０ｄは、スイッチ回路２０ｃのスイッチＳ７からスイッチＳ１を順次オンとする。このため、スイッチ回路２０ｃから２Ｖ、１．７５Ｖ、１．４Ｖ、１．０Ｖ、０．６Ｖ、０．２５Ｖ、０Ｖの電圧が順次出力される。
【００３２】
図６は、低次高調波除去器２０の出力信号を示している。このように、矩形波のベースバンド信号は、低次高調波除去器２０により正弦波に近似された信号とされる。この低次高調波除去器２０の出力信号において、高調波成分の大部分は、ベースバンド信号周波数１．０２４ＭＨｚの１６次以上の信号となる。このため、低次高調波除去器２０の出力信号が供給されるアナログフィルタ２２は、１６次以上の高調波成分を除去するのに十分な特性を持っていれば良い。つまり、カットオフ周波数を１．５ＭＨｚとした場合、アナログフィルタ２２は、２次のフィルタにより構成でき、このアナログフィルタ２２により、高調波成分を十分に除去できる。このようにして、アナログフィルタ２２により高調波成分が除去された信号はＡＳＫ変調器１２に供給され、例えば５．８４ＧＨｚの搬送波信号により変調される。この後、変調された信号は、前述したようにして送信される。
【００３３】
図７（ａ）は、前記スイッチ制御回路２０ｄの一例を示し、図７（ｂ）は、スイッチ制御回路２０ｄの他の例を示している。
【００３４】
図７（ａ）に示すスイッチ制御回路２０ｄは、例えば７段の出力端を有するシフトレジスタ２０−１により構成されている。このシフトレジスタ２０−１には、ベースバンド信号及び基準クロック信号が供給されている。このシフトレジスタ２０−１は、基準クロック信号に応じてベースバンド信号をシフトし、スイッチＳ１〜Ｓ７を制御する制御信号Ｃ１〜Ｃ７を順次出力する。
【００３５】
図７（ｂ）に示すスイッチ制御回路２０ｄは、例えば３ビットのアップダウンカウンタ２０−２とデコーダ２０−３とにより構成されている。アップダウンカウンタ２０−２は、ベースバンド信号がハイレベルのとき基準クロック信号をアップカウントし、ベースバンド信号がローレベルのとき、基準クロック信号をダウンカウントする。デコーダ２０−３は、アップダウンカウンタ２０−２の出力信号をデコードし、スイッチＳ１〜Ｓ７を制御する制御信号Ｃ１〜Ｃ７を順次出力する。
【００３６】
上記実施形態によれば、ベースバンド信号を基準クロック信号に同期して、例えば７段階の電圧により正弦波信号に近似している。このため、低次高調波除去器２０の出力信号において、高調波成分の大部分をベースバンド信号周波数１．０２４ＭＨｚの１６次以上の信号とすることができる。したがって、低次高調波除去器２０の出力信号が供給されるアナログフィルタ２２は、３次の高調波成分を除去する必要はなく、１６次以上の高調波成分を除去するのに十分な特性を持っていればよい。このため、アナログフィルタ２２を２次のアナログフィルタで構成できる。このように、アナログフィルタ２２の次数を低く抑えることができるため、アナログフィルタ２２の構成を簡単化でき、アナログフィルタの特性のばらつきも抑制することができる。
【００３７】
しかも、アナログフィルタ２２の次数を低く抑えることができるため、５１２ｋＨｚと１．０２４ＭＨｚの送信信号の群遅延差を低減できる。したがって、受信信号のアイ開口率８０％を満足することができ、無線装置の特性を向上できる。
【００３８】
尚、上記実施形態において、低次高調波除去器２０の出力電圧は７段階としたが、これに限定されるものではなく、基準クロック信号の周期がベースバンド信号の周期の何倍であるかにより、低次高調波除去器２０の出力電圧に必要な段階を決定すればよい。上記実施形態のように、基準クロック信号の周期がベースバンド信号の周期の１６倍の場合、電圧レベルは７段階であるが、１６倍より小さい場合、必要な段階は例えば５段階と小さくなり、１６倍より大きい場合、例えば９段階と大きくなる。このため、図７（ａ）に示すスイッチ制御回路２０ｄの場合、シフトレジスタの段数を７段から５段又は９段に変更すればよい。また、図７（ｂ）に示すスイッチ制御回路２０ｄの場合、アップダウンカウンタ２０−２を３ビットから４ビットに変更し、デコーダ２０−３を、４ビットの信号から９個の制御信号を生成する回路に変更すればよい。
【００３９】
また、低次高調波除去器２０において、３次高調波成分を除去するためには正弦波を７段階で記述すれば十分である。このため、通常は３ビット、多くても４ビットの低次高調波除去器を用いることにより、上記実施形態の効果を得ることが可能である。
【００４０】
さらに、基準クロック信号はベースバンド処理ＬＳＩ１０で用いているものを共用することが可能である。ＰＬＬ回路１５に用いる基準クロック信号と、低次高調波除去器２０に用いる基準クロック信号とをベースバンド処理ＬＳＩ１０で用いているクロック信号と共用することにより、無線装置に用いる基準クロック信号の数を減らすことができるためより安価な無線装置を構成することが可能である。
【００４１】
また、低次高調波除去器２０の基準電圧発生回路２０ａは、固定の基準電圧ＶＨ、ＶＬを発生していた。しかし、これに限定されるものではなく、基準電圧発生回路２０ａに発生する電圧を変化させる機能を持たせ、低次高調波除去器２０の出力電圧レベルを可変することにより、変調度を調整することが可能な無線装置を構成することが可能である。
【００４２】
その他、本発明の要旨を変えない範囲において種々変形実施可能なことは勿論である。
【図面の簡単な説明】
【００４３】
【図１】本発明の実施形態を示すものであり、低次高調波除去器を示す構成図。
【図２】図１に示す低次高調波除去器の要部を示す構成図。
【図３】本発明の実施形態に適用されるＤＳＲＣの無線装置の一例を示す構成図。
【図４】電圧レベルによる正弦波の近似を示す図。
【図５】図２の動作を示すものであり、各部の信号を示すタイミング図。
【図６】低次高調波除去器の出力信号を示す図。
【図７】図７（ａ）は、スイッチ制御回路の一例を示す構成図、図７（ｂ）は、スイッチ制御回路の他の例を示す構成図。
【符号の説明】
【００４４】
２０…低次高調波除去器、２１…基準クロック信号発生回路、２２…アナログフィルタ、１１…帯域制限フィルタ、２０ａ…基準電圧発生回路、２０ｂ…分圧回路、２０ｃ…スイッチ回路、２０ｄ…スイッチ制御回路、２０−１…シフトレジスタ、２０−２…アップダウンカウンタ、２０−３…デコーダ。
【図１】
2005341240.tif 000003
【図２】
2005341240.tif 000004
【図３】
2005341240.tif 000005
【図４】
2005341240.tif 000006
【図５】
2005341240.tif 000007
【図６】
2005341240.tif 000008
【図７】
2005341240.tif 000009